(57)【要約】【課題】背負い型運搬具について、物品の保管スペースに物品とともに省スペースで保管でき、しかも形状が安定した背負い型運搬具として使用でき、人が背負って楽に運搬できる技術の開発。【解決手段】背当て板２１から周壁部２２が延出された物品収納部２０と、周壁部２０の一部である収納部底板２２ａの背当て板２１側とは逆端に折曲げ部１１を介して繋がっているカバー部主板３１を含む開閉カバー部３０とを備え、開閉カバー部３０は、物品収納部２０及び開閉カバー部３０のそれぞれに取り付けられている開閉カバー部固定部材によってカバー部主板３１が収納部底板２２ａに重ね合われる全開状態に固定可能であり、背当て板２１には肩掛け紐位置ずれ防止部２４及び物品押さえ紐位置ずれ防止部が設けられている運搬用開閉容器１０、運搬用ユニット、物品内蔵運搬用ユニットを提供する。【選択図】図１
2019118757.tif 000002
【特許請求の範囲】
【請求項１】
四角板状の背当て板及び前記背当て板の外周から立ち上げるように形成された四角枠状の周壁部を有する物品収納部と、
前記周壁部を形成する４枚の周壁部形成板の１つである収納部底板の前記背当て板とは逆側の後端に折曲げ部を介して繋がっているカバー部主板、及び前記カバー部主板の外周の前記折曲げ部側以外の３辺のそれぞれから立ち上げるように形成された側壁部形成板が構成するカバー側壁部を有する開閉カバー部とを備え、
開閉カバー部は、前記カバー側壁部が前記物品収納部の前記周壁部の後端から離隔された状態から、前記折曲げ部を中心とする回転によって前記周壁部後端にその後側から閉じ合わされる閉状態と、前記カバー部主板を前記物品収納部の前記収納部底板に重ね合わせて前記物品収納部後側を開放した全開状態とを切り換え可能であり、しかも前記物品収納部の前記周壁部及び前記開閉カバー部の前記カバー側壁部にそれぞれ取り付けられた開閉カバー部固定部材によって前記物品収納部に対して前記全開状態に固定可能であり、
前記背当て板には肩掛け紐の前記背当て板に対する位置ずれを防止する肩掛け紐位置ずれ防止部が前記収納部底板に垂直の上下方向に離隔させて複数設けられ、かつ前記物品収納部内に収納した物品を前記背当て板に拘束する物品押さえ紐の前記背当て板に対する位置ずれを防止する押さえ紐位置ずれ防止部が上下及び／又は左右方向に離隔させて複数設けられている運搬用開閉容器。
【請求項２】
前記背当て板には肩掛け紐が通される肩掛け紐挿通孔が前記収納部底板に垂直の上下方向に離隔させて複数設けられ、かつ前記物品収納部内に収納した物品を前記背当て板に拘束する物品押さえ紐が通される押さえ紐挿通孔が上下及び／又は左右方向に離隔させて複数設けられている請求項１に記載の運搬用開閉容器。
【請求項３】
前記開閉カバー部固定部材は、前記物品収納部の前記周壁部及び前記開閉カバー部の前記カバー側壁部のそれぞれに玉紐を巻き掛け可能に取り付けられた紐掛用玉部材である請求項１または２に記載の運搬用開閉容器。
【請求項４】
請求項１〜３のいずれか１項に記載の運搬用開閉容器と、前記肩掛け紐と、前記物品押さえ紐とを有する運搬用ユニット。
【請求項５】
前記物品と、その後側に巻き掛けられる前記物品押さえ紐との間に配置される押さえ板をさらに有する請求項４に記載の運搬用ユニット。
【請求項６】
請求項４または５に記載の運搬用ユニットと、前記運搬用ユニットの前記物品収納部に収納された前記物品とを有する物品内蔵運搬用ユニット。
【請求項７】
前記運搬用開閉容器の前記開閉カバー部の前記カバー部天板と、前記物品収納部の前記周壁部において前記収納部底板とは逆側に位置する前記周壁部形成板である収納部天板とは、段ボールシートにミシン目を介して互いに切り離し可能に確保された領域である請求項６に記載の物品内蔵運搬用ユニット。
【発明の詳細な説明】
【技術分野】
【０００１】
本発明は、物品の収納及び人力による運搬に利用可能な運搬用開閉容器、運搬用ユニット、物品内蔵運搬用ユニットに関する。
【背景技術】
【０００２】
近年、地震、洪水等の災害発生に備えた食料、飲料水入り容器等の備蓄物品を家屋、公共施設、民間事業所等の建物内に確保した保管場所に常備する動きが拡がっている。
備蓄物品は、被災地の建物の保管場所から取り出して使用したり、遠隔地からトラック等を用いて被災地に輸送して提供されたりする。
地震、洪水等の大規模災害により車両の通行が困難な地域が生じると、トラックの走行が困難な搬送先への備蓄物品の運搬は人力に依ることが多い。備蓄物品を人力によって数百メートル〜数キロメートル離れた場所に運ぶ場合は、運搬労力の軽減の点で、リュックサック（背負い鞄）等の肩掛け紐付き鞄の使用ニーズが高い。
【０００３】
飲料水、燃料等の液体の運搬については、例えば、特許文献１に記載のコンテナ（ウォーターコンテナ）も採用可能である。特許文献１に記載のコンテナは、液体が貯留されていない状態では小さく折り畳むことができるコンテナ本体と、布等によって柔軟で折り畳み可能に形成されコンテナ本体を収納するケース本体と、ケース本体の上面開放部分に脱着されるケース蓋体と、ケース本体に取り付けられた肩掛け紐（肩掛けベルト）とを有する。
【先行技術文献】
【特許文献】
【０００４】
【特許文献１】特開２００５−８２６１号公報
【発明の概要】
【発明が解決しようとする課題】
【０００５】
しかしながら、災害発生時には肩掛け紐付き鞄の確保が困難なケースが多々発生する。また、肩掛け紐付き鞄を確保できたとしても、備蓄物品のサイズ上、肩掛け紐付き鞄に収納できないことが多々生じていた。
例えば、災害備蓄用の飲料水入り容器には、外観直方体状の箱形に形成された容量５〜２０リットル程度の樹脂製容器に飲料水を充填したものがある。このような備蓄物品は、そのサイズ上、かなり大型の肩掛け紐付き鞄でなければ収納できないケースが多々有る。
【０００６】
また、備蓄物品は、建物内での移動、トラックの荷台に対する積み卸し、省スペース化のための段積み等を効率良く行なうために、段ボール箱等の箱形収納容器に収納して保管スペースに保管することが多い。しかしながら、備蓄物品の保管スペースに肩掛け紐付き鞄の保管スペースも確保するとなると、備蓄物品の保管スペースを備蓄物品の備蓄に充分に使用できなくなったり、保管スペースの大型化を招くといった不都合が生じる。
【０００７】
特許文献１記載の肩掛け紐付き鞄（ウォーターコンテナ）は、柔軟で折り畳み可能なケース本体に樹脂製容器を収納して樹脂製容器の運搬に使用するものであり、樹脂製容器をケース本体に収納した状態で形状が安定しにくい。
特許文献１記載のウォーターコンテナは、上述のように形状が安定しにくいため、例えば容量５〜２０リットル程度のコンテナ本体をケース本体に収納した場合は、人が肩掛け紐を両肩に掛けて背負い鞄のように使用したときに歩行しにくく、運搬労力が大きくなるといった問題がある。
【０００８】
本発明の態様が解決しようとする課題は、物品の保管スペースに物品とともに省スペースで保管でき、しかも形状が安定した背負い型運搬具としても使用でき、人が背負って楽に運搬できる運搬用開閉容器、運搬用ユニット、物品内蔵運搬用ユニットを提供することである。
【課題を解決するための手段】
【０００９】
上記課題を解決するために、本発明では以下の態様を提供する。
第１の態様の運搬用開閉容器は、四角板状の背当て板及び前記背当て板の外周から立ち上げるように形成された四角枠状の周壁部を有する物品収納部と、前記周壁部を形成する４枚の周壁部形成板の１つである収納部底板の前記背当て板とは逆側の後端に折曲げ部を介して繋がっているカバー部主板、及び前記カバー部主板の外周の前記折曲げ部側以外の３辺のそれぞれから立ち上げるように形成された側壁部形成板が構成するカバー側壁部を有する開閉カバー部とを備え、開閉カバー部は、前記カバー側壁部が前記物品収納部の前記周壁部の後端から離隔された状態から、前記折曲げ部を中心とする回転によって前記周壁部後端にその後側から閉じ合わされる閉状態と、前記カバー部主板を前記物品収納部の前記収納部底板に重ね合わせて前記物品収納部後側を開放した全開状態とを切り換え可能であり、しかも前記物品収納部の前記周壁部及び前記開閉カバー部の前記カバー側壁部にそれぞれ取り付けられた開閉カバー部固定部材によって前記物品収納部に対して前記全開状態に固定可能であり、前記背当て板には肩掛け紐の前記背当て板に対する位置ずれを防止する肩掛け紐位置ずれ防止部が前記収納部底板に垂直の上下方向に離隔させて複数設けられ、かつ前記物品収納部内に収納した物品を前記背当て板に拘束する物品押さえ紐の前記背当て板に対する位置ずれを防止する押さえ紐位置ずれ防止部が上下及び／又は左右方向に離隔させて複数設けられている。
前記背当て板には肩掛け紐が通される肩掛け紐挿通孔が前記収納部底板に垂直の上下方向に離隔させて複数設けられ、かつ前記物品収納部内に収納した物品を前記背当て板に拘束する物品押さえ紐が通される押さえ紐挿通孔が上下及び／又は左右方向に離隔させて複数設けられていても良い。
前記開閉カバー部固定部材は、前記物品収納部の前記周壁部及び前記開閉カバー部の前記カバー側壁部のそれぞれに玉紐を巻き掛け可能に取り付けられた紐掛用玉部材であっても良い。
第２の態様の運搬用ユニットは、上記運搬用開閉容器と、前記肩掛け紐と、前記物品押さえ紐とを有する。
上記運搬用ユニットは、前記物品と、その後側に巻き掛けられる前記物品押さえ紐との間に配置される押さえ板をさらに有しても良い。
第３の態様の物品内蔵運搬用ユニットは、上記運搬用ユニットと、前記運搬用ユニットの前記物品収納部に収納された前記物品とを有する。
前記運搬用開閉容器の前記開閉カバー部の前記カバー部天板と、前記物品収納部の前記周壁部において前記収納部底板とは逆側に位置する前記周壁部形成板である収納部天板とは、段ボールシートにミシン目を介して互いに切り離し可能に確保された領域であっても良い。
【発明の効果】
【００１０】
本発明の態様によれば、運搬用開閉容器を、開閉カバー部が物品収納部に閉じられた状態（あるいは開閉カバー部のカバー部天板が物品収納部の収納部天板にミシン目を介して繋がっている状態）にて、物品を収納して保管するための箱形収納容器として使用できる。このため、運搬用開閉容器は、物品の保管スペースに物品とともに省スペースで保管できる。開閉カバー部が物品収納部に閉じられた状態（あるいは開閉カバー部のカバー部天板が物品収納部の収納部天板にミシン目を介して繋がっている状態）の運搬用開閉容器は、安定して段積みすることも可能であり、段積みによる省スペース化の効果も得られる。
また、運搬用開閉容器、運搬用ユニット、物品内蔵運搬用ユニットは、肩掛け紐を設けた運搬用開閉容器を形状が安定した背負い型運搬具として使用でき、人が背負って楽に運搬できる。
【図面の簡単な説明】
【００１１】
【図１】本発明の１実施形態に係る運搬用開閉容器の構造を示す図であって、開閉カバー部を物品収納部に対して開いた状態を示す斜視図である。
【図２】図１の運搬用開閉容器について、その全体が段ボール製であり、開閉カバー部のカバー側壁部が物品収納部の周壁部にミシン目を介して繋がっている初期状態を示す斜視図である。
【図３】図２の初期状態の運搬用開閉容器の内部構造を示す断面図である。
【図４】図１の運搬用開閉容器の物品収納部に物品押さえ紐を巻き掛けた物品を収納した状態を示す斜視図である。
【図５】図１の運搬用開閉容器について、開閉カバー部をそのカバー部主板を物品収納部の収納部底板に重ね合わせた全開状態にし玉紐を用いて物品収納部に固定した全開固定状態を示す斜視図である。
【図６】図５の全開固定状態の運搬用開閉容器に肩掛け紐及び物品押さえ紐がセットされている肩掛け紐付き全開容器、及びその物品収納部に物品を収納した物品内蔵運搬用ユニットの構造を示す断面図である。
【図７】図７の肩掛け紐付き全開容器の物品収納部に物品を収納した物品内蔵運搬用ユニットを使用者が背負った状態を示す図であって、（ａ）は背面図、（ｂ）は側面図である。
【図８】図６の物品内蔵運搬用ユニットのその斜め前側（背当て板の外面側）から見た構造を示す斜視図である。
【図９】運搬用開閉容器に物品を収納した物品内蔵運搬用ユニットを示す図であって、運搬用開閉容器の開閉カバー部を玉紐を用いて物品収納部後側に閉じた状態を固定した紐掛け閉状態を示す斜視図である。
【発明を実施するための形態】
【００１２】
以下、本発明の実施形態に係る運搬用開閉容器、運搬用ユニット、物品内蔵運搬用ユニットについて、図面を参照して説明する。
図１は運搬用開閉容器１０、図６は運搬用開閉容器１０を用いた運搬用ユニット１００をそれぞれ示す。
図６に示すように、運搬用ユニット１００は、運搬用開閉容器１０と、肩掛け紐９１と、物品押さえ紐９２とを有する。
図１、図４に示すように、運搬用開閉容器１０は、物品収納部２０と、開閉カバー部３０とを有する。
【００１３】
図４に示すように、運搬用開閉容器１０の物品収納部２０には物品Ｐを収納できる。
図４は、運搬用開閉容器１０の物品収納部２０に物品Ｐを収納した運搬用ユニット１００を示す図であり、運搬用開閉容器１０の開閉カバー部３０を物品収納部２０に対して開いた状態を示す斜視図である。
なお、図４は、運搬用開閉容器１０の物品収納部２０に収納された物品Ｐを含む運搬用ユニット、すなわち、運搬用ユニット１００と、その運搬用開閉容器１０の物品収納部２０に収納された物品Ｐとを有する物品内蔵運搬用ユニット１００Ａを示す図でもある。
【００１４】
図１に示すように、運搬用開閉容器１０の物品収納部２０は、四角板状の背当て板２１と、背当て板２１の外周から立ち上げるように形成された四角枠状の周壁部２２とを有する。図６、図７（ｂ）に示すように、背当て板２１は、運搬用ユニット１００の使用者Ｈが肩掛け紐９１を利用して運搬用開閉容器１０を背負ったときに物品収納部２０において使用者Ｈの背に対面配置される板状部である。
【００１５】
図１に示すように、周壁部２２は、四角板状の背当て板２１の外周の四辺のそれぞれから背当て板２１の片面側に背当て板２１に垂直に立ち上げられた周壁部形成板２２ａ〜２２ｄによって構成されている。周壁部２２は４枚の周壁部形成板２２ａ〜２２ｄによって構成されている。４枚の周壁部形成板２２ａ〜２２ｄはそれぞれ四角板状に形成されている。周壁部２２のその周方向に互いに隣り合う周壁部形成板は互いに垂直の向きで互いに繋がって形成されている。
【００１６】
物品収納部２０について、以下、背当て板２１側を前、背当て板２１とは反対の側を後、として説明する。
運搬用開閉容器１０の開閉カバー部３０は、物品収納部２０の周壁部２２を構成する４枚の周壁部形成板２２ａ〜２２ｄのひとつである収納部底板２２ａの後端に折曲げ部１１を介して繋がっている四角板状のカバー部主板３１と、カバー部主板３１の折曲げ部１１側以外の外周の３辺に沿ってカバー部主板３１に垂直に形成されたカバー側壁部３２とを有する。
【００１７】
運搬用開閉容器１０の形成素材は、段ボールシート（紙製、プラスチック製を含み、以下、単に、段ボール、とも言う）、樹脂等を採用できる。
運搬用開閉容器１０は、例えばその全体が１枚の段ボールシートによって形成されたもの、あるいは全体が樹脂製の一体成形品である構成を採用できる。
段ボールあるいは樹脂によって形成された運搬用開閉容器１０は、金属製容器等に比べて軽量化の点で有利である。
【００１８】
運搬用開閉容器１０の折曲げ部１１は、運搬用開閉容器１０を形成する形成素材において、物品収納部２０の収納部底板２２ａとカバー部主板３１との間を折曲げ可能に構成され、収納部底板２２ａ及びカバー部主板３１に比べて局所的に薄肉に形成されたり、蝶番で連結された箇所である。
また、折曲げ部１１は、収納部底板２２ａとカバー部主板３１との間にて、物品収納部２０の前後方向に垂直の向きで真っ直ぐに延在形成されている。
折曲げ部１１と収納部底板２２ａとの境界は四角板状の収納部底板２２ａの外周の１辺、折曲げ部１１とカバー部主板３１との境界は四角板状のカバー部主板３１の外周の１辺、をそれぞれ形成する。
【００１９】
図１に示す運搬用開閉容器１０において、開閉カバー部３０は、折曲げ部１１のみを介して物品収納部２０（具体的にはその収納部底板２２ａ）と連結されている。
開閉カバー部３０は、物品収納部２０に対して折曲げ部１１を中心とする回転によって、カバー側壁部３２の物品収納部２０の周壁部２２に対する接離、それによる物品収納部２０に対する開閉が可能である。
折曲げ部１１は、開閉カバー部３０を物品収納部２０（具体的にはその収納部底板２２ａ）に対して相対回転させるヒンジ部として機能する。
【００２０】
図９は、開閉カバー部３０を物品収納部２０に対して閉じた状態（閉状態）を示す。
図５、図６に示すように、開閉カバー部３０は、折曲げ部１１を中心とする回転によって、カバー部主板３１のカバー側壁部３２が突出されている内面３１ａ側とは逆の外面３１ｂが収納部底板２２ａ（具体的には収納部底板２２ａの外面）に重ね合わされる位置まで物品収納部２０に対して開放できる。図５、図６に示す運搬用開閉容器１０の状態（及び開閉カバー部３０の物品収納部２０に対する開放状態）を、以下、全開状態、とも言う。
図５〜図８は、開閉カバー部３０のカバー部主板３１の外面３１ｂを収納部底板２２ａ（具体的には収納部底板２２ａの外面）に重ね合わせた全開状態を示す。
【００２１】
図１、図４に示すように、開閉カバー部３０のカバー側壁部３２は、カバー部主板３１の外周の折曲げ部１１側以外の３辺のそれぞれからカバー部主板３１の片面側（内面３１ａ側）にカバー部主板３１に垂直に立ち上げられた側壁部形成板３２ａ〜３２ｃによって構成されている。カバー側壁部３２は３枚の側壁部形成板３２ａ〜３２ｃによって構成されている。３枚の側壁部形成板３２ａ〜３２ｃはそれぞれ四角板状に形成されている。隣り合う側壁部形成板は互いに繋がっている。
なお、カバー側壁部３２の側壁部形成板３２ａ〜３２ｃは四角板状には限らない。側壁部形成板３２ａ〜３２ｃは、例えば、三角板状、頂点を５以上有する多角形板状、外周の一部に円弧状部分を有する板状など、も採用可能である。
【００２２】
本明細書において、開閉カバー部３０について、以下、折曲げ部１１側を回転中心側、折曲げ部１１側とは逆の側を回転外周側、とも言う。
また、運搬用開閉容器１０全体及び物品内蔵運搬用ユニット１００Ａ全体について、折曲げ部１１を中心とする回転軸線方向を、左右方向、として扱う。
また、開閉カバー部３０について、折曲げ部１１を中心とする回転半径方向を、長さ方向、として扱う。
【００２３】
図１に示す開閉カバー部３０のカバー側壁部３２において、折曲げ部１１とは逆側に位置する側壁部形成板３２ａを、以下、カバー部天板、とも言う。
また、カバー部天板３２ａの両側の側壁部形成板３２ｂ、３２ｃを、以下、カバー部側板、とも言う。
【００２４】
図１に示すように、カバー部天板３２ａは、カバー部主板３１の回転外周側の端を形成する１辺からその全長にわたってカバー部主板３１に垂直に突出形成されている。
カバー部側板３２ｂ、３２ｃは、カバー部主板３１の左右両側の側辺に沿って、カバー部主板３１の長さ方向中央部から回転外周側の範囲に形成されている。カバー部側板３２ｂ、３２ｃは、カバー部主板３１とカバー部天板３２ａの連結角度の維持や、開閉カバー部固定部材の取付け部としての役割を持つ。カバー部側板３２ｂ、３２ｃはカバー部主板３１の長さ方向中央部から回転中心側には形成されていない。これに対して、物品収納部２０の周壁部形成板２２ｂ、２２ｃの収納部底板２２ａと接する側は折曲げ部１１まで形成され、物品Ｐの側壁下部を押さえることができる。
【００２５】
物品収納部２０について、周壁部形成板２２ａ〜２２ｄのうち収納部底板２２ａとは反対側に位置する周壁部形成板２２ｄを、以下、収納部天板とも言う。
物品収納部２０の左右両側の周壁部形成板２２ｂ、２２ｃである収納部側板の収納部天板２２ｄ側には、その後端から前側へ窪み、物品収納部２０に対して回転させた開閉カバー部３０のカバー部側板３２ｂ、３２ｃを入り込ませる切欠部２２ｅが形成されている。
【００２６】
図１の運搬用開閉容器１０の収納部天板２２ｄの背当て板２１から後側への延出寸法は、収納部底板２２ａの背当て板２１から後側への延出寸法に比べて短い。
図１の運搬用開閉容器１０の物品収納部２０の左右両側の収納部側板２２ｂ、２２ｃの切欠部２２ｅ形成部分の背当て板２１から後側への延出寸法（背当て板２１から切欠部２２ｅまでの距離）は、収納部天板２２ｄの背当て板２１から後側への延出寸法と同じに揃えられている。
なお、収納部側板２２ｂ、２２ｃの切欠部２２ｅから収納部底板２２ａ側部分（以下、側板主部、とも言う）の背当て板２１から後側への延出寸法は、収納部底板２２ａの背当て板２１から後側への延出寸法と同じに揃えられている。
【００２７】
図９に示すように、図１の運搬用開閉容器１０は、折曲げ部１１を中心に物品収納部２０に対して回転させた開閉カバー部３０のカバー部側板３２ｂ、３２ｃを収納部側板２２ｂ、２２ｃの切欠部２２ｅに入り込ませて、開閉カバー部３０を物品収納部２０に対して閉じることができる。
【００２８】
図９に示すように、運搬用開閉容器１０は、開閉カバー部３０を物品収納部２０に対して閉じた状態（閉状態）としたときに外観直方体状の箱形となる。
運搬用開閉容器１０を閉状態としたときには、収納部側板２２ｂ、２２ｃの切欠部２２ｅ内周面に、カバー部側板３２ｂ、３２ｃの端面（カバー部主板３１とは逆側の端面、及びカバー部天板３２ａとは逆側の端面）が閉じ合わされる。収納部側板２２ｂ、２２ｃと収納部側板２２ｂ、２２ｃに閉じ合わされたカバー部側板３２ｂ、３２ｃとは、外観直方体状箱形となった運搬用開閉容器１０の四角板状の６つの壁部の１つを構成する。
【００２９】
また、運搬用開閉容器１０を閉状態にしたときには、カバー部天板３２ａのカバー部主板３１とは逆側の端面が収納部天板２２ｄの後端面に閉じ合わされる。
また、このとき、収納部側板２２ｂ、２２ｃの切欠部２２ｅから収納部底板２２ａ側の側板主部の後端面に、カバー部主板３１の内面３１ａの左右両端部が当接される（閉じ合わされる）。
運搬用開閉容器１０の閉状態は、開閉カバー部３０を物品収納部２０の周壁部２２の収納部底板２２ａ以外の部分の後端に閉じ合わせた状態を指す。
以上、運搬用開閉容器１０を閉じた状態としたときに、天面および側面が２枚の板を閉じ合わせて１枚の板とした形状について説明したが、運搬用開閉容器１０は、天面および側面に切り欠きを設けずに、天面及び側面の一方または両方が開閉カバー部３０の板と物品収納部２０の板とを重ね合わせた壁部によって形成されて閉じた状態となる構成としてもよい。
【００３０】
図１に示すように、物品収納部２０は、左右両側の収納部側板２２ｂ、２２ｃのそれぞれに開閉カバー部固定部材として取り付けられた第１、第２収納部紐掛用玉部材２３１、２３２（紐掛用玉部材）を含む。開閉カバー部３０は、左右両側のカバー部側板３２ｂ、３２ｃのそれぞれに取り付けられたカバー部紐掛用玉部材３３（紐掛用玉部材）、及びカバー部紐掛用玉部材３３に一端が固定された玉紐１２を有している。
第１、第２収納部紐掛用玉部材２３１、２３２は、収納部側板２２ｂ、２２ｃのそれぞれに取り付けられて収納部側板２２ｂ、２２ｃの外面（物品収納部２０内側とは反対側の面）側に設けられている。
カバー部紐掛用玉部材３３は、カバー部側板３２ｂ、３２ｃのそれぞれに取り付けられてカバー部側板３２ｂ、３２ｃの外面（カバー側壁部３２内側とは反対側の面）側に設けられている。
【００３１】
物品収納部２０の収納部底板２２ａと収納部天板２２ｄとは互いに平行になっている。
本明細書において、物品収納部２０について、収納部底板２２ａと収納部天板２２ｄとの間隔方向（収納部底板２２ａに垂直の方向）を上下方向として扱う。
【００３２】
第１、第２収納部紐掛用玉部材２３１、２３２は、収納部側板２２ｂ、２２ｃのその前後方向において切欠部２２ｅよりも前側の部分に、上下方向に互いに離隔させて設けられている。第１収納部紐掛用玉部材２３１は収納部側板２２ｂ、２２ｃの上下方向中央よりも収納部天板２２ｄ側（上側）、第２収納部紐掛用玉部材２３２は収納部側板２２ｂ、２２ｃの上下方向中央よりも収納部底板２２ａ側（下側）に設けられている。
【００３３】
玉紐１２のカバー部紐掛用玉部材３３に固定された一端以外の部分は、手指で自在に曲げ操作可能な柔軟性を有し、物品収納部２０及び開閉カバー部３０に対して接離可能である。
図９に示すように、閉状態の運搬用開閉容器１０は、第１収納部紐掛用玉部材２３１とカバー部紐掛用玉部材３３とに巻き掛けた玉紐１２によって、開閉カバー部３０のカバー側壁部３２と物品収納部２０の周壁部２２との間が離隔しないように拘束し、開閉カバー部３０の物品収納部２０に対する閉じ合わせ状態を維持することができる。
図９の状態の運搬用開閉容器１０は、第１収納部紐掛用玉部材２３１及びカバー部紐掛用玉部材３３に対する玉紐１２の巻き掛けを解き、玉紐１２を第１収納部紐掛用玉部材２３１から離脱させるだけで、開閉カバー部３０の物品収納部２０に対する回転（折曲げ部１１を中心とする回転）、それによる物品収納部２０に対する開閉が可能となる。
【００３４】
なお、玉紐１２は、その一端がカバー部紐掛用玉部材３３に固定された構成に限定されず、運搬用開閉容器（例えば、図１の運搬用開閉容器１０の玉紐１２以外の部分）に対して脱着可能な別部材であっても良い。
但し、玉紐の紛失防止の点では、図１の運搬用開閉容器１０のように、玉紐１２は、その一端が開閉カバー部（例えばカバー部紐掛用玉部材３３）に固定された構成を採用することが有利である。
開閉カバー部固定部材は玉紐と紐掛用玉部材には限らず、例えば、第１、第２収納部紐掛用玉部材２３１、２３２をワンタッチバックルなどのバックルとし、玉紐１２をベルトとする組合せなど、物品収容部２０と開閉カバー部３０を簡便に固定できる手段であればよい。
【００３５】
図２に示すように、段ボール製の運搬用開閉容器１０は、開閉カバー部３０のカバー側壁部３２と物品収納部２０の周壁部２２とが運搬用開閉容器１０を構成する段ボールに形成されたミシン目１３を介して切り離し可能に繋がっている外観直方体箱形の状態（以下、初期状態、とも言う）を採用できる。
なお、図２に示す初期状態の運搬用開閉容器１０において、開閉カバー部３０のカバー部主板３１は、物品収納部２０の周壁部２２から分離されており、内面３１ａを収納部側板２２ｂ、２２ｃ後端に当接させた状態となっている。
また、ミシン目１３は、物品収納部２０の収納部底板２２ａとカバー部主板３１との間には形成されていない。
【００３６】
運搬用開閉容器１０を構成する段ボールはミシン目１３に沿って手指で切断可能である。
図２に示す初期状態の運搬用開閉容器１０の開閉カバー部３０は、そのカバー側壁部３２を物品収納部２０の周壁部２２から切り離すことで、物品収納部２０（具体的にはその収納部底板２２ａ）に対して折曲げ部１１を中心に相対回転可能となる。
図２に示す初期状態の運搬用開閉容器１０は、開閉カバー部３０のカバー側壁部３２を物品収納部２０の周壁部２２から切り離した後は、例えば図１、図５、図９等の状態を採ることができる。
【００３７】
運搬用開閉容器１０は、複数の段ボールシートによって形成されたものや、複数の樹脂製部品を用いて組み立てられたもの、段ボールシートと樹脂製部品とを用いて組み立てられたもの等の、複数部材によって組み立てられた構成も採用可能である。
但し、複数部材によって組み立てられた構成の運搬用開閉容器１０は、物品収納部２０の収納部底板２２ａとカバー部主板３１が別部材で構成される場合では折曲げ部１１部分が蝶番などを含む構成を採用する。
なお、一枚の段ボールシートによって形成された運搬用開閉容器は、運搬用開閉容器１０を形成する段ボールシートの端部同士を閉じ合わせて一体化した図示略の閉じ合わせ部を有する。
【００３８】
図１、図８、図９等に示すように、背当て板２１の四隅部には肩掛け紐９１を通すための肩掛け紐挿通孔２４が形成されている。
また、背当て板２１の左右方向における両端部の肩掛け紐挿通孔２４間の領域（以下、中間領域、とも言う）の上下両端部には、物品収納部２０内に収納した物品Ｐを背当て板２１に拘束する物品押さえ紐９２が通される押さえ紐挿通孔２５が形成されている。
【００３９】
図６、図７（ａ）、（ｂ）に示すように、肩掛け紐９１は、ベルト９１ａの一端部に、ベルト９１ａの他端部が挿脱可能に通される係止部材９１ｂが取り付けられた構成のものである。係止部材９１ｂには、ベルト９１ａ他端部が挿脱可能に通される図示略のベルト挿通孔が形成されている。また、係止部材９１ｂは、ベルト挿通孔に通されたベルト９１ａ他端部との係脱を切り換え可能な図示略の係止部を有する。係止部材９１ｂは、係止部をベルト９１ａ他端部に係合させることで、ベルト９１ａの係止部係合位置から一端部側の端までの長さが長くなる方向の係止部材９１ｂに対するベルト９１ａ他端部のずれを規制する。
係止部材９１ｂの係止部は、例えば、ベルト９１ａ他端部に係脱可能に係合する係合爪、ベルト９１ａ他端部のベルト９１ａ長手方向複数個所に形成された孔に挿脱可能なピン、等の周知のものを採用できる。
【００４０】
図１、図９に示すように、背当て板２１には、その左右両端部のそれぞれに、上下に１つずつの肩掛け紐挿通孔２４の対が存在する。背当て板２１には肩掛け紐挿通孔２４の対が左右両端部に１つずつ、計２つ形成されている。
図６に示すように、肩掛け紐９１は、背当て板２１の上下に位置して対を構成する肩掛け紐挿通孔２４に挿通し、背当て板２１の外面（前面）とは反対の内面に接して上下の肩掛け紐挿通孔２４間に延在する部分を確保し、両端部を背当て板２１の前面側に配置（図６、図８参照）して、運搬用開閉容器１０に設けられる。
肩掛け紐９１は、１対の肩掛け紐挿通孔２４に１本使用する。運搬用ユニット１００は、背当て板２１の２対の肩掛け紐挿通孔２４に対応して２本の肩掛け紐９１を使用する（２本の肩掛け紐９１を有する）。
【００４１】
なお、例えば、運搬用開閉容器１０の使用者が肩に掛けるなどして支持した肩掛け紐９１（具体的には肩掛け紐９１の背当て板２１前面側に位置する部分）に運搬用開閉容器１０及びその内部の物品Ｐの重量が作用したとき、肩掛け紐９１は、肩掛け紐挿通孔２４の背当て板２１前面側の口縁部及び背当て板２１内面側の口縁部の一方または両方にて屈曲される。肩掛け紐挿通孔２４の背当て板２１前面側の口縁部及び背当て板２１内面側の口縁部は、肩掛け紐９１を屈曲させることで、背当て板２１に対する肩掛け紐９１のその長手方向の位置ずれを規制する。肩掛け紐挿通孔２４は背当て板２１に対する肩掛け紐９１のその長手方向の位置ずれを規制する肩掛け紐位置ずれ防止部として機能する。
【００４２】
但し、肩掛け紐位置ずれ防止部は、背当て板２１に対する肩掛け紐９１のその長手方向の位置ずれを規制可能な構成であれば良く、肩掛け紐挿通孔２４に限らず、種々の構成を採用できる。肩掛け紐位置ずれ防止部は、背当て板２１に設けられて背当て板２１に対する肩掛け紐９１のその長手方向の位置ずれを規制可能な固定具（以下、肩掛け紐固定具、とも言う）であっても良い。肩掛け紐固定具は、例えば、肩掛け紐９１に食い込む爪、肩掛け紐９１のその長手方向の互いに異なる位置に接触する複数の紐接触部によって肩掛け紐９１を屈曲させる屈曲保持部材、肩掛け紐９１を挟持固定可能なクランプ等を採用できる。肩掛け紐９１に食い込む爪、屈曲保持部材、クランプ等の肩掛け紐固定具は、背当て板２１に対する肩掛け紐９１の固定と固定解除とを切り換え可能な構成のものを好適に用いることができる。
肩掛け紐位置ずれ防止部は、背当て板２１の上下方向に互いに離隔する複数箇所に設けられる。
なお、運搬用開閉容器１０は、肩掛け紐挿通孔２４が無く、背当て板２１に設けられた肩掛け紐固定具を有する構成も採用可能である。
【００４３】
図７（ａ）、（ｂ）に示すように、肩掛け紐９１は、運搬用開閉容器１０の使用者Ｈが運搬用開閉容器１０を背負う際に肩に掛けて使用される。運搬用開閉容器１０の使用者Ｈは、係止部材９１ｂのベルト挿通孔に通したベルト９１ａ他端部に係止部を係合させて肩掛け紐９１にループ部を形成し、このループ部と背当て板２１との間に肩を入れて運搬用開閉容器１０を背負う。肩掛け紐９１の背当て板２１からその前面側に配置する部分には、運搬用開閉容器１０の使用者Ｈがループ部と背当て板２１との間に肩を入れることが可能な大きさのループ部を形成可能な長さを確保する。
【００４４】
図６に示すように、肩掛け紐９１のベルト９１ａ他端部には、人が手指を入れて握ることが可能なループ状の指掛け部９１ｃが形成されている。
指掛け部９１ｃは、肩掛け紐９１にループ部を形成したときに、係止部材９１ｂからループ部外側に位置するように配置する。
運搬用開閉容器１０の使用者Ｈは、指掛け部９１ｃに手指を入れることで、肩掛け紐９１のベルト９１ａ他端部の係止部材９１ｂからループ部外側に延出させた部分を引っ張って、肩掛け紐９１のループ部の長さを縮める操作を楽に行える。
なお、肩掛け紐はベルト他端部にループ状の指掛け部９１ｃを有してない構成も採用可能である。
【００４５】
図１、図９に示すように、押さえ紐挿通孔２５は、背当て板２１の中間領域の上下両端部に１つずつ形成されている。図１、図９に示す背当て板２１には、上下１つずつの押さえ紐挿通孔２５の対が１つ存在する。但し、背当て板２１は、上下１つずつの押さえ紐挿通孔２５の対が中間領域の左右方向の複数箇所に存在する構成も採用可能である。背当て板２１において対を構成する押さえ紐挿通孔２５は、中間領域において左右方向の形成位置が互いに対応している。
【００４６】
図６等に示す物品押さえ紐９２は、肩掛け紐９１から指掛け部９１ｃを省略した構成である。物品押さえ紐９２は、ベルト９２ａと、ベルト９２ａの一端部に取り付けられベルト９２ａの他端部に係脱可能な係止部材９２ｂとを有する。物品押さえ紐９２は、係止部材９２ｂのベルト挿通孔（図示略）に通したベルト９２ａ他端部に係止部材９２ｂの係止部（図示略）を係合させることで、係止部材９１ｂに対するベルト９１ａ他端部のずれを規制して所望ベルト長を保つループ部を形成できる。
なお、物品押さえ紐９２は、指掛け部９１ｃを含む肩掛け紐９１と同様の構成のものも採用可能である。
【００４７】
図６、図８に示すように、物品押さえ紐９２は背当て板２１の上下に位置して対を構成する押さえ紐挿通孔２５に通して背当て板２１の外面（前面）側にて上下の押さえ紐挿通孔２５間に配置された部分を確保する。また、物品押さえ紐９２は、図４、図６に示すように、物品収納部２０内の物品Ｐとは背当て板２１側とは逆の後側に巻き掛けられ、物品Ｐを背当て板２１に拘束する役割を果たす。
【００４８】
図４、図６に示すように、物品収納部２０内の物品Ｐの上下及び後側に延在するように配置して物品Ｐに巻き掛けた物品押さえ紐９２を、以下、上下配置物品押さえ紐、とも言う。
物品押さえ紐９２は、上下配置物品抑え紐に限定されず、背当て板２１の上下方向中央部の左右両端部に形成した押さえ紐挿通孔２５に通して物品収納部２０内の物品Ｐの左右及び後側に延在するように配置したもの（以下、左右配置物品抑え紐、とも言う）も採用可能である。また、物品押さえ紐９２は、運搬用ユニット１００に、上下配置物品抑え紐及び左右配置物品抑え紐の両方を設けても良い。また、運搬用ユニット１００は、上下配置物品抑え紐及び左右配置物品抑え紐の一方または両方が２本以上設けられた構成も採用可能である。
【００４９】
物品Ｐを背当て板２１に拘束した物品押さえ紐９２には張力が作用する。物品押さえ紐９２は、物品押さえ紐９２に作用する張力によって、押さえ紐挿通孔２５の背当て板２１前面側の口縁部に押圧されて屈曲される。押さえ紐挿通孔２５の背当て板２１前面側の口縁部は、物品押さえ紐９２を屈曲させることで、背当て板２１に対する物品押さえ紐９２のその長手方向の位置ずれを規制する。押さえ紐挿通孔２５は、背当て板２１に対する物品押さえ紐９２のその長手方向の位置ずれを規制する押さえ紐位置ずれ防止部として機能する。
【００５０】
但し、押さえ紐位置ずれ防止部は、背当て板２１に対する物品押さえ紐９２のその長手方向の位置ずれを規制可能な構成であれば良く、押さえ紐挿通孔２５に限らず、種々の構成を採用できる。押さえ紐位置ずれ防止部は、背当て板２１に設けられて背当て板２１に対する物品押さえ紐９２のその長手方向の位置ずれを規制可能な固定具（以下、押さえ紐固定具、とも言う）であっても良い。押さえ紐固定具は、例えば、物品押さえ紐９２に食い込む爪、物品押さえ紐９２のその長手方向の互いに異なる位置に接触する複数の紐接触部によって物品押さえ紐９２を屈曲させる屈曲保持部材、物品押さえ紐９２を挟持固定可能なクランプ等を採用できる。物品押さえ紐９２に食い込む爪、屈曲保持部材、クランプ等の押さえ紐固定具は、背当て板２１に対する物品押さえ紐９２の固定と固定解除とを切り換え可能な構成のものを好適に用いることができる。
押さえ紐位置ずれ防止部は、背当て板２１の上下及び／又は左右方向に互いに離隔する複数箇所に設けられる。
なお、運搬用開閉容器１０は、押さえ紐挿通孔２５が無く、背当て板２１に設けられた押さえ紐固定具を有する構成も採用可能である。
【００５１】
図４、図６等に示すように、ここで説明する実施形態の運搬用ユニット１００は、物品Ｐと、その後側に巻き掛けられる物品押さえ紐９２との間に配置される押さえ板９３を有する。
押さえ板９３は、物品Ｐと物品押さえ紐９２との間に配置されることで、物品Ｐにおける物品押さえ紐９２からの力が作用する範囲を拡げ、応力集中による物品Ｐの変形を防ぐ。
【００５２】
押さえ板９３は、例えば、段ボール、合成樹脂によって形成される。
また、押さえ板９３は、図４、図６等に示すように、局所的に薄く形成されてヒンジ部として機能するヒンジ用薄肉部９３ａを１または複数有するものを好適に採用できる。この押さえ板９３は、ヒンジ用薄肉部９３ａを中心とするその両側部分の相対回転によって、物品Ｐの外形に沿わせて配置することに有利である。
【００５３】
図４、図６等に示す運搬用ユニット１００の押さえ板９３は、物品Ｐの左右両側を除く外周全体、すなわち物品Ｐ外周における物品収納部２０の前後、上下に対応する部分を覆うように設けられている。また、図４、図６等に示すように、運搬用ユニット１００の押さえ板９３は、ヒンジ用薄肉部９３ａが、物品内蔵運搬用ユニット１００Ａの左右方向に延在する向きで使用することが好適である。
【００５４】
なお、運搬用ユニット１００は、押さえ板９３を複数有する構成や、押さえ板９３を有していない構成も採用可能である。
【００５５】
物品内蔵運搬用ユニット１００Ａは、図９に示す閉状態の運搬用開閉容器１０の第１収納部紐掛用玉部材２３１とカバー部紐掛用玉部材３３とに玉紐１２を巻き掛けて開閉カバー部３０の物品収納部２０に対する閉じ合わせを維持した状態（以下、紐掛け閉状態、とも言う）とすることで、複数を安定に段積みすることができる。
運搬用開閉容器１０を紐掛け閉状態とした物品内蔵運搬用ユニット１００Ａは、段積みによる保管スペースの省スペース化、トラック等の運搬用車両への積載数の増加が可能である。
【００５６】
段ボール製の運搬用開閉容器１０を使用した物品内蔵運搬用ユニット１００Ａは、運搬用開閉容器１０について図２に示す初期状態が保たれていれば、そのまま複数を安定に段積みすることが可能である。但し、この物品内蔵運搬用ユニット１００Ａは、段積み、運搬用車両による運搬等の際には、初期状態の運搬用開閉容器１０の第１収納部紐掛用玉部材２３１とカバー部紐掛用玉部材３３とに玉紐１２を巻き掛けて、開閉カバー部３０の物品収納部２０に対する不用意な切り離しを規制した状態（以下、紐掛け初期状態、とも言う）とすることが好適である。
【００５７】
物品Ｐを収納して紐掛け閉状態あるいは紐掛け初期状態となっている運搬用開閉容器１０は、物品Ｐを収納、保管するための箱形収納容器として機能する。
なお、物品内蔵運搬用ユニット１００Ａの肩掛け紐９１、物品押さえ紐９２、押さえ板９３は、紐掛け閉状態あるいは紐掛け初期状態の運搬用開閉容器１０の内側に収納しておく。肩掛け紐９１及び物品押さえ紐９２は、運搬用開閉容器１０の背当て板２１の肩掛け紐挿通孔２４や押さえ紐挿通孔２５に通さずに、その全体を運搬用開閉容器１０内に収納しておく。
但し、肩掛け紐９１及び物品押さえ紐９２は、運搬用開閉容器１０とは別に保管しておき、必要時に保管場所から取り出して使用しても良い。
【００５８】
紐掛け閉状態あるいは紐掛け初期状態の運搬用開閉容器１０は、第１収納部紐掛用玉部材２３１及びカバー部紐掛用玉部材３３に対する玉紐１２の巻き掛けを解いて（紐掛け初期状態の運搬用開閉容器１０については、さらに、運搬用開閉容器１０を形成する段ボールをミシン目１３に沿って切断する）開閉カバー部３０を物品収納部２０に対して回転可能とすることで、図５〜図８に示す全開状態に変形できる。
【００５９】
運搬用開閉容器１０が紐掛け閉状態あるいは紐掛け初期状態である物品内蔵運搬用ユニット１００Ａは、開閉カバー部３０を物品収納部２０に対して開いて肩掛け紐９１及び物品押さえ紐９２をセットし、玉紐１２を利用して運搬用開閉容器１０を全開状態に固定することで、図７（ａ）、（ｂ）、図８に示す背負い時状態とすることができる。図７（ａ）、（ｂ）、図８に示す背負い時状態は、運搬用開閉容器１０にセットした２本の肩掛け紐９１に使用者Ｈが肩掛け可能なループ部を形成し、玉紐１２を利用して全開状態に固定した運搬用開閉容器１０を背負い可能な状態を指す。
【００６０】
ここで、運搬用開閉容器１０が紐掛け閉状態あるいは紐掛け初期状態である物品内蔵運搬用ユニット１００Ａを図７（ａ）、（ｂ）、図８等に示す背負い時状態とする手順の一例を説明する。
運搬用開閉容器１０が紐掛け閉状態あるいは紐掛け初期状態である物品内蔵運搬用ユニット１００Ａを図７（ａ）、（ｂ）、図８等に示す背負い時状態とするには、まず、既述のように、紐掛け閉状態あるいは紐掛け初期状態の運搬用開閉容器１０の第１収納部紐掛用玉部材２３１及びカバー部紐掛用玉部材３３に対する玉紐１２の巻き掛けを解き（紐掛け初期状態の運搬用開閉容器１０については、さらに、運搬用開閉容器１０を形成する段ボールをミシン目１３に沿って切断する）、図４に示すように開閉カバー部３０を物品収納部２０に対して開く（容器開放工程）。
なお、図４は、後述する紐セット工程にて、物品押さえ紐９２を運搬用開閉容器１０にセットした状態を示す。
【００６１】
次いで、肩掛け紐９１及び物品押さえ紐９２を運搬用開閉容器１０にセットする作業（紐セット工程）を行う。
肩掛け紐９１は、図６に示すように、肩掛け紐９１は、背当て板２１の上下に位置して対を構成する肩掛け紐挿通孔２４に挿通し、背当て板２１の外面（前面）とは反対の内面に接して上下の肩掛け紐挿通孔２４間に延在する部分を確保し、両端部を背当て板２１の前面側に配置（図６、図８参照）して、運搬用開閉容器１０にセットする。
【００６２】
物品押さえ紐９２は、図６、図８に示すように、物品押さえ紐９２は背当て板２１の上下に位置して対を構成する押さえ紐挿通孔２５に通して背当て板２１の外面（前面）側にて上下の押さえ紐挿通孔２５間に配置された部分を確保し、図５に示すように、物品収納部２０内の物品Ｐとは背当て板２１側とは逆の後側に巻き掛けて、運搬用開閉容器１０にセットする。物品押さえ紐９２は物品Ｐの上下にも配置される。また、物品押さえ紐９２は、物品Ｐとの間に介在された押さえ板９３を物品Ｐに押さえ込む。
【００６３】
図４は、容器開放工程及び紐セット工程を水平な作業床面Ｓ上にて行なう場合を示す。
この場合、容器開放工程は、収納部底板２２ａを作業床面Ｓ上に載置した物品収納部２０に対して開閉カバー部３０を回転操作して開放し、開閉カバー部３０のカバー部主板３１を作業床面Ｓ上に載置する。
開閉カバー部３０は、作業床面Ｓ近傍に位置する折曲げ部１１を中心に回転させて物品収納部２０に対して開放する。
紐セット工程は、物品収納部２０の収納部底板２２ａ及び物品収納部２０に対して開いた開閉カバー部３０のカバー部主板３１が作業床面Ｓ上に載置された状態で実施する。紐セット工程では、必要に応じて物品Ｐを運搬用開閉容器１０に対して移動させて、肩掛け紐９１及び物品押さえ紐９２を運搬用開閉容器１０にセットする。
【００６４】
物品Ｐは、例えば飲料水、その他の液体を収納した容量５〜２０リットル程度の樹脂製の液体収納容器、救急箱、バッテリー、米等の穀物を収納した袋（穀物収納袋）、などを採用できる。物品Ｐは重量が１０ｋｇを超えるものも採用可能である。
紐セット工程を、物品収納部２０の収納部底板２２ａ及び物品収納部２０に対して開いた開閉カバー部３０のカバー部主板３１が作業床面Ｓ上に載置された状態で実施する構成であれば、それぞれ水平の向きで配置された収納部底板２２ａ及びカバー部主板３１の上にて物品Ｐを楽に移動でき、肩掛け紐９１及び物品押さえ紐９２を運搬用開閉容器１０にセットする作業を効率良く行える。
【００６５】
紐セット工程が完了したら、図８に示すように、物品収納部２０に対して回転させて全開状態とした開閉カバー部３０を玉紐１２を利用して全開状態に固定する全開固定工程を行なう。
玉紐１２は、第２収納部紐掛用玉部材２３２とカバー部紐掛用玉部材３３とに巻き掛けて、物品収納部２０に対して開閉カバー部３０を全開状態に固定する。
運搬用開閉容器１０について、図８に示すように、物品収納部２０に対して開閉カバー部３０を玉紐１２を利用して全開状態に固定した状態を、以下、全開固定状態、とも言う。
【００６６】
全開固定工程は、例えば、まず、運搬用開閉容器１０の折曲げ部１１を上昇させ、図５に示すように、収納部底板２２ａ前端と背当て板２１との境界のエッジ部を中心に回転させた物品収納部２０の背当て板２１を作業床面Ｓ上に載置する。また、開閉カバー部３０は物品収納部２０に対して回転させて全開状態とする。すなわち、物品収納部２０に対して回転させた開閉カバー部３０のカバー部主板３１を収納部底板２２ａに重ね合わせる。
次いで、玉紐１２を第２収納部紐掛用玉部材２３２とカバー部紐掛用玉部材３３とに巻き掛けて、物品収納部２０に対して開閉カバー部３０を全開状態に固定する（全開固定状態とする）。
【００６７】
全開固定工程が完了すると、肩掛け紐９１及び物品押さえ紐９２が全開固定状態の運搬用開閉容器１０にセットされた構成の肩掛け紐付き全開容器が得られる。
肩掛け紐９１がセットされている全開固定状態の運搬用開閉容器１０（以下、肩掛け紐付き全開容器、とも言う）は、物品Ｐを使用者Ｈが背負って運搬するための背負子として機能する。
【００６８】
肩掛け紐９１は、紐セット工程あるいはその完了後に、係止部材の係止部をベルト９１ａ他端部に係合させてループ部を形成する。
物品内蔵運搬用ユニット１００Ａは、全開固定工程、及び肩掛け紐９１へのループ部形成が完了することで図６、図７（ａ）、（ｂ）、図８に示す背負い時状態となる。
【００６９】
背負い時状態の物品内蔵運搬用ユニット１００Ａは、運搬用開閉容器１０の物品収納部２０に物品Ｐを収納し、しかも物品Ｐを物品押さえ紐９２によって物品収納部２０の背当て板２１に拘束する構成である。運搬用開閉容器１０の物品収納部２０は、四角板状の背当て板２１の外周から後側に、４つの周壁部形成板からなる四角枠状の周壁部２２が延出された構造である。物品収納部２０を構成する背当て板２１及び４つの周壁部形成板は、それぞれ手指で曲げにくい板状部である。物品収納部２０は、特許文献１記載の布等によって柔軟に形成されたケース本体とは異なり、形状安定性を確保できるものである。
【００７０】
背負い時状態の物品内蔵運搬用ユニット１００Ａは、例えば、柔軟な樹脂製の液体収納容器や穀物収納袋等の形状が安定しにくい物品Ｐを物品収納部２０に収納することで物品Ｐの変形を抑えることができる。その結果、背負い時状態の物品内蔵運搬用ユニット１００Ａは、形状が不安定な物品Ｐを収納した場合でも重心が安定するため、使用者Ｈが背負って歩行しやすく、運搬労力を低減できる。
【００７１】
図５に示すように、背負い時状態の物品内蔵運搬用ユニット１００Ａの開閉カバー部３０は、カバー部主板３１の外周から、３つの側壁部形成板３２ａ、３２ｂ、３２ｃからなるカバー側壁部３２が突出する構造である。カバー側壁部３２を構成するカバー部主板３１及び３つの側壁部形成板３２ａ、３２ｂ，３２ｃは、それぞれ手指で曲げにくい板状部である。開閉カバー部３０は、その構成上、形状安定性を確保できるものである。
【００７２】
図６に示すように、背負い時状態の物品内蔵運搬用ユニット１００Ａは、玉紐１２が開閉カバー部３０を物品収納部２０に拘束する拘束力によって、物品収納部２０の収納部底板２２ａに対するカバー部主板３１の重ね合わせ状態を安定維持できる。
物品収納部２０の収納部底板２２ａにカバー部主板３１を重ね合わせた開閉カバー部３０は、収納部底板２２ａの変形を抑え、背負い時状態の物品内蔵運搬用ユニット１００Ａの物品収納部２０の形状安定性を向上できる。物品収納部２０の収納部底板２２ａにカバー部主板３１を重ね合わせた開閉カバー部３０は、使用者Ｈが背負った物品内蔵運搬用ユニット１００Ａの重心安定性を高め、物品Ｐの運搬労力の一層の低減に有効に寄与する。
【００７３】
図７（ａ）、（ｂ）に示すように、背負い時状態の物品内蔵運搬用ユニット１００Ａの開閉カバー部３０は、使用者Ｈが肩掛け紐９１を利用して物品内蔵運搬用ユニット１００Ａを背負ったときに物品収納部２０の下側に位置する。また、このとき、図６等に示すように、開閉カバー部３０のカバー部天板３２ａは、物品収納部２０の背当て板２１の延長上に背当て板２１と同じ向きで配置される。
【００７４】
使用者Ｈが肩掛け紐９１を肩に掛けて背負い時状態の物品内蔵運搬用ユニット１００Ａを背負ったとき、物品内蔵運搬用ユニット１００Ａの運搬用開閉容器１０には、運搬用開閉容器１０自体の重量及び物品収納部２０内の物品Ｐの重量によって、背当て板２１の上端部を中心に背当て板２１上端部から下側が使用者Ｈをその背側から押圧する方向の回転力が作用する。
この回転力は、仮に物品収納部２０下側に開閉カバー部３０が存在しない場合には、背当て板２１の下端から使用者Ｈにその背を押圧する押圧力として作用することがある。
【００７５】
図６、図８に示すように、全開固定状態の運搬用開閉容器１０の開閉カバー部３０のカバー部天板３２ａの下端は、背当て板２１の下端に比べて、運搬用開閉容器１０の回転中心（背当て板２１上端部）から離隔した位置（離隔距離が大きい）にある。このため、使用者Ｈが背負い時状態の物品内蔵運搬用ユニット１００Ａを背負ったときに、運搬用開閉容器１０下端（ここではカバー部天板３２ａ下端）から使用者Ｈに背を押圧するように作用する回転力の大きさは、物品収納部２０下側に開閉カバー部３０が存在しない場合に背当て板２１下端から使用者Ｈに背を押圧するように作用する回転力よりも小さくなる。
【００７６】
使用者Ｈが肩掛け紐９１を利用して背負った運搬用開閉容器１０の回転力は、運搬用開閉容器１０下端のみから使用者Ｈに局所的に作用するケースが多く発生する。このため、運搬用開閉容器１０下端から使用者Ｈに作用する回転力が大きいと運搬用開閉容器１０を背負いにくくなる。使用者Ｈが肩掛け紐９１を利用して背負った運搬用開閉容器１０下端から使用者Ｈに作用する回転力は、運搬用開閉容器１０自体及びその内部の収納物（物品Ｐ等）の重量との合計重量が大きいほど大きくなる。
背負い時状態の物品内蔵運搬用ユニット１００Ａは運搬用開閉容器１０下端（カバー部天板３２ａ下端）から使用者Ｈに作用する回転力を抑えることができるため、運搬用開閉容器１０を背負いにくくならない範囲で物品収納部２０内に収納する物品Ｐの重量を増大することに有利である。
【００７７】
図２、図９に示すように、運搬用開閉容器１０及び運搬用ユニット１００は、紐掛け閉状態（図９）あるいは紐掛け初期状態（図２）にて内部に物品Ｐを収納した状態（物品内蔵運搬用ユニット１００Ａの状態）で保管、搬送することができる。また、運搬用開閉容器１０及び運搬用ユニット１００は、災害発生時には、運搬用開閉容器１０を開放して肩掛け紐９１及び物品押さえ紐９２をセットし、背負い時状態の物品内蔵運搬用ユニット１００Ａを組み立てることで、肩紐付き鞄等を別途用意することなく、使用者Ｈが背負って徒歩で運搬できる。
【００７８】
運搬用開閉容器１０及び運搬用ユニット１００は、紐掛け閉状態あるいは紐掛け初期状態の運搬用開閉容器１０内に物品Ｐを収納した状態で保管スペースに保管することで、保管スペースへの肩紐付き鞄等の背負い型運搬具の別途保管を省略できる。このため、物品Ｐを収納した紐掛け閉状態あるいは紐掛け初期状態の運搬用開閉容器１０の保管スペースを運搬用開閉容器１０の保管に有効活用でき、保管スペースにおける物品Ｐの保管量の増大も容易に実現できる。
【００７９】
背負い時状態の物品内蔵運搬用ユニット１００Ａの運搬用開閉容器１０の物品収納部２０に収納された物品Ｐは、物品押さえ紐９２の係止部材９２ｂのベルト９２ａ他端部に対する係合を解除してループ部を解くことで、全開固定状態の運搬用開閉容器１０から取り出すことができる。
肩掛け紐付き全開容器は、物品押さえ紐９２の係止部材９２ｂのベルト９２ａ他端部に対する係脱を切り換えることで、物品収納部２０に対する物品Ｐの脱着が可能である。
【００８０】
物品Ｐを収納した紐掛け閉状態あるいは紐掛け初期状態の運搬用開閉容器１０を開放して背負い時状態に組み立てた物品内蔵運搬用ユニット１００Ａは、物品Ｐを収納していた運搬用開閉容器１０を含む運搬用ユニット１００を、物品Ｐを収納して人力で運搬するための背負い型運搬具として用いる構成である。
背負い時状態に組み立てた物品内蔵運搬用ユニット１００Ａの運搬用開閉容器１０の物品収納部２０は、紐掛け閉状態あるいは紐掛け初期状態の運搬用開閉容器１０に収納されていた物品Ｐを収納できる。このため、災害の発生等により物品Ｐを人力で運搬する際に、物品Ｐを収納可能なサイズの背負い型運搬具を別途調達する必要が無い。
【００８１】
以上、本発明を最良の形態に基づいて説明してきたが、本発明は上述の最良の形態に限定されるものではなく、本発明の要旨を逸脱しない範囲で種々の改変が可能である。
例えば、運搬用開閉容器の物品収納部の収納部底板以外の周壁部形成板、及び開閉カバー部の側壁部形成板の形状は、図１〜図９に例示した形状に限定されない。
閉状態あるいは初期状態において外観直方体状は６面の矩形壁部を有する。６面の矩形壁部のうち、３面は、運搬用開閉容器の背当て板、収納部底板、カバー部主板である。物品収納部の収納部底板以外の周壁部形成板、及び開閉カバー部の側壁部形成板は、運搬用開閉容器の閉状態あるいは初期状態において互いに閉じ合わせた状態（あるいはミシン目を介して繋がった状態）で、外観直方体状の運搬用開閉容器の背当て板、収納部底板、カバー部主板、以外の３面の矩形壁部を形成可能であれば良く、その具体的形状に限定は無い。
【符号の説明】
【００８２】
１０…運搬用開閉容器、１１…折曲げ部、１２…玉紐、１３…ミシン目、２０…物品収納部、２１…背当て板、２２…周壁部、２２ａ…周壁部形成板（収納部底板）、２２ｂ、２２ｃ…周壁部形成板（収納部側板）、２２ｄ…周壁部形成板（収納部底天板）、２２ｅ…切欠部、２３１…開閉カバー部固定部材、紐掛用玉部材（第１収納部紐掛用玉部材）、２３２…開閉カバー部固定部材、紐掛用玉部材（第２収納部紐掛用玉部材）、２４…肩掛け紐位置ずれ防止部、肩掛け紐挿通孔、２５…押さえ紐位置ずれ防止部、押さえ紐挿通孔、３０…開閉カバー部、３１…カバー部主板、３１ａ…（カバー部主板の）内面、３１ｂ…（カバー部主板の）外面、３２…カバー側壁部、３２ａ…側壁部形成板（カバー部天板）、３２ｂ、３２ｃ…側壁部形成板（カバー部側板）、３３…開閉カバー部固定部材、紐掛用玉部材（カバー部紐掛用玉部材）、９１…肩掛け紐、９２…物品押さえ紐、９３…押さえ板、１００…運搬用ユニット、１００Ａ…物品内蔵運搬用ユニット、Ｈ…（運搬用開閉容器の）使用者、Ｐ…物品。
【図１】
2019118757.tif 000003
【図２】
2019118757.tif 000004
【図３】
2019118757.tif 000005
【図４】
2019118757.tif 000006
【図５】
2019118757.tif 000007
【図６】
2019118757.tif 000008
【図７】
2019118757.tif 000009
【図８】
2019118757.tif 000010
【図９】
2019118757.tif 000011